(57)【要約】      （修正有）【課題】複数のプリサチュレーションパルスの、目的に応じた最適な印加条件の設定を簡易化し、容易に設定可能とする。【解決手段】磁気共鳴イメージング装置は、印加する複数のプリサチュレーションパルスそれぞれの設定条件を受け付ける受付部２１０と、受け付けた各プリサチュレーションパルスの設定条件に基づき、印加条件を決定する印加条件決定部２２０と、決定した印加条件に従って各プリサチュレーションパルスを印加し、撮像を実行する撮像部２３０とを備える。印加条件決定部２２０は、少なくとも２つのプリサチュレーションパルスの印加条件が異なるよう印加条件を決定する。【選択図】図１
2016202804.tif 000002
【特許請求の範囲】
【請求項１】
印加する複数のプリサチュレーションパルスそれぞれの設定条件を受け付ける受付部と、
受け付けた各前記プリサチュレーションパルスの前記設定条件に基づき、印加条件を決定する印加条件決定部と、
決定した印加条件に従って各前記プリサチュレーションパルスを印加し、撮像を実行する撮像部と、を備え、
前記印加条件決定部は、少なくとも２つの前記プリサチュレーションパルスの前記印加条件が異なるよう前記印加条件を決定すること
を特徴とする磁気共鳴イメージング装置。
【請求項２】
請求項１記載の磁気共鳴イメージング装置であって、
前記受付部は、前記設定条件として前記プリサチュレーションパルスの設定強度を受け付け、
前記印加条件決定部は、
前記設定強度に応じて各前記プリサチュレーションパルスの印加順を決定するとともに、当該設定強度と前記印加順とに基づいて各前記プリサチュレーションパルスの印加強度を決定すること
を特徴とする磁気共鳴イメージング装置。
【請求項３】
請求項１記載の磁気共鳴イメージング装置であって、
予め定めた優先項目に対応づけて、プリサチュレーションパルスの設定強度を保持する優先項目データベースをさらに備え、
前記受付部は、前記設定条件として前記優先項目の指定を受け付け、
前記印加条件決定部は、受け付けた優先項目に対応づけて前記優先項目データベースに保持される設定強度に基づいて各前記プリサチュレーションパルスの印加強度を決定すること
を特徴とする磁気共鳴イメージング装置。
【請求項４】
請求項１から３いずれか１項記載の磁気共鳴イメージング装置であって、
前記印加条件決定部は、前記プリサチュレーションパルスの前記設定条件が変更される毎に、変更された時点で受け付けている全てのプリサチュレーションパルスの前記設定条件に基づいて仮の印加条件を算出し、算出した当該仮の印加条件に基づいて予め定めた撮像情報を算出してユーザに提示することにより前記仮の印加条件の適否を受け付け、適と受け付けた場合、当該仮の印加条件を前記印加条件と決定すること
を特徴とする磁気共鳴イメージング装置。
【請求項５】
請求項２記載の磁気共鳴イメージング装置であって、
前記受付部は、受け付けた前記設定強度に応じて、予め定めた表示態様で当該プリサチュレーションパルスを表示装置に表示すること
を特徴とする磁気共鳴イメージング装置。
【請求項６】
請求項２から５いずれか１項記載の磁気共鳴イメージング装置であって、
前記設定条件は、さらにプリサチュレーションパルスの印加領域も含み、
前記受付部は、表示装置に表示された位置決め画像上で、前記設定条件を受け付けること
を特徴とする磁気共鳴イメージング装置。
【請求項７】
請求項６記載の磁気共鳴イメージング装置であって、
前記受付部は、前記位置決め画像上で前記設定条件を受け付けた際の前記表示装置に表示された内容を画像として保存すること
を特徴とする磁気共鳴イメージング装置。
【請求項８】
請求項２、５、６および７のいずれか１項記載の磁気共鳴イメージング装置であって、
前記印加条件決定部は、前記設定強度が強い前記プリサチュレーションパルスほど後になるよう前記印加順を決定し、同じ設定強度の前記プリサチュレーションパルスについては、前記印加順が後のプリサチュレーションパルスの強度ほど弱くなるよう前記印加強度を決定すること
を特徴とする磁気共鳴イメージング装置。
【請求項９】
請求項４記載の磁気共鳴イメージング装置であって、
前記撮像情報は、繰返し時間および比吸収率の上限値に対する割合の少なくとも一方であること
を特徴とする磁気共鳴イメージング装置。
【請求項１０】
請求項２または３記載の磁気共鳴イメージング装置であって、
前記印加強度は、印加時間により決定されること
を特徴とする磁気共鳴イメージング装置。
【請求項１１】
印加する複数のプリサチュレーションパルスそれぞれの設定条件を受け付ける受付ステップと、
受け付けた各前記プリサチュレーションパルスの前記設定条件に基づき、少なくとも２つの前記プリサチュレーションパルスの印加条件が異なるよう、当該印加条件を決定する印加条件決定ステップと、
決定した前記印加条件に従って各前記プリサチュレーションパルスを印加し、撮像を実行する撮像ステップと、を含むこと
を特徴とする磁気共鳴イメージング方法。
【発明の詳細な説明】
【技術分野】
【０００１】
本発明は、磁気共鳴イメージング（Ｍａｇｎｅｔｉｃ  Ｒｅｓｏｎａｎｃｅ  Ｉｍａｇｉｎｇ；以下、「ＭＲＩ」と略す）技術に関し、特に、プリサチュレーションパルスの印加条件を設定する技術に関する。
【背景技術】
【０００２】
ＭＲＩ装置は、被検体、特に人体の組織を構成する原子核スピンが発生する核磁気共鳴（Ｎｕｃｌｅａｒ  Ｍａｇｎｅｔｉｃ  Ｒｅｓｏｎａｎｃｅ；以下、「ＮＭＲ」と略す）信号を計測し、その頭部、腹部、四肢等の形態や機能を２次元的に或いは３次元的に画像化する装置である。撮影時、ＮＭＲ信号には、傾斜磁場によって異なる位相エンコードが付与されるとともに周波数エンコードされて、時系列データとして計測される。計測されたＮＭＲ信号は、２次元又は３次元フーリエ変換されることにより画像に再構成される。
【０００３】
ＭＲＩにおいては、体動、特に脂肪部分の呼吸による体動、血流、脳脊髄液の流れ、心拍動などに起因するアーチファクトがしばしば認められる。このアーチファクトの抑制技術の一つとして、プリサチュレーション法がある（例えば、特許文献１、２参照）。プリサチュレーション法では、本撮像前に、プリサチュレーションパルスを印加し、アーチファクトを発生させる部位の核スピンを励起し、位相をばらばらにすることで、本撮像時にこの部位から得る信号を小さくし、アーチファクトを抑制する。
【先行技術文献】
【特許文献】
【０００４】
【特許文献１】特開平１１−２２５９９２号公報
【特許文献２】特開２００８−１６７９７７号公報
【発明の概要】
【発明が解決しようとする課題】
【０００５】
アーチファクトの発生組織は様々であるため、１回の撮像において、しばしば、複数のプリサチュレーションパルスが用いられる。プリサチュレーションパルスの強度は、印加時間に比例し、それが撮像時間の延長をもたらすことがあるため、撮像時間の延長を最小限に抑えるためには、抑制対象あるいは目的に応じた必要最小限の強度のプリサチュレーションパルスを印加する必要がある。
【０００６】
しかしながら、プリサチュレーションパルスで抑制しようとするアーチファクトの強度は、組織や画像種によって、様々であり、強い強度を必要とするときもあれば、弱い強度で十分な場合もある。また、撮像において、優先すべき事情もある。
【０００７】
さらに、プリサチュレーションパルスは、高周波磁場パルスであるため、特に３Ｔ（テスラ）のＭＲＩ装置では、比吸収率（Ｓｐｅｃｉｆｉｃ  Ａｂｓｏｒｐｔｉｏｎ  Ｒａｔｅ；以下「ＳＡＲ」と略す）にも影響を与える。
【０００８】
従って、ＭＲＩ装置のユーザが容易に、複数のプリサチュレーションパルスの最適な印加条件を設定可能な技術が望まれている。
【０００９】
本発明は、上記事情に鑑みてなされたもので、複数のプリサチュレーションパルスの、目的に応じた最適な印加条件の設定を簡易化して容易に設定可能とし、画質変化およびＳＡＲ上昇を最小化し、被検者負担を軽減し、かつ、検査効率を向上させる技術を提供することを目的とする。
【課題を解決するための手段】
【００１０】
本発明は、位置決め画像上で、プリサチュレーションパルスの印加領域を受け付けると同時に、所望の強度を特定する情報も設定条件として受け付ける。そして、受け付けた設定条件を最も効率よく抑制効果が得られるよう最適化し、印加条件として撮像条件に反映する。
【００１１】
具体的には、印加する複数のプリサチュレーションパルスそれぞれの設定条件の変更を受け付ける受付部と、受け付けた各前記プリサチュレーションパルスの前記設定条件に基づき、印加条件を決定する印加条件決定部と、決定した印加条件に従って各前記プリサチュレーションパルスを印加し、撮像を実行する撮像部と、を備え、前記印加条件決定部は、最も効率良く抑制効果を得られるよう、前記印加条件を決定することを特徴とする磁気共鳴イメージング装置を提供する。
【００１２】
また、印加する複数のプリサチュレーションパルスそれぞれの設定条件の変更を受け付ける受付ステップと、受け付けた各前記プリサチュレーションパルスの前記設定条件に基づき、最も効率よく抑制効果を得られるよう、印加条件を決定する印加条件決定ステップと、決定した印加条件に従って各前記プリサチュレーションパルスを印加し、撮像を実行する撮像ステップと、を含むことを特徴とする磁気共鳴イメージング方法を提供する。
【発明の効果】
【００１３】
本発明によれば、複数のプリサチュレーションパルスの、目的に応じた最適な印加条件の設定が簡易化され、容易に設定可能であるため、画質変化およびＳＡＲ上昇が最小に抑えられ、被検者の負担が軽減し、検査効率が向上する。
【図面の簡単な説明】
【００１４】
【図１】（ａ）は、第一の実施形態のＭＲＩ装置の構成図であり、（ｂ）は、第一の実施形態の制御部の機能ブロック図である。
【図２】プリサチュレーションパルスを説明するための説明図である。
【図３】第一の実施形態の設定条件受付画面例を説明するための説明図である。
【図４】プリサチュレーションパルスの印加タイミングによる縦磁化の回復の状態を説明するための説明図である。
【図５】第一の実施形態の印加条件設定処理と撮像処理とのフローチャートである。
【図６】（ａ）および（ｂ）は、第一の実施形態によるプリサチュレーションパルスの印加時間短縮を説明するための説明図である。
【図７】（ａ）は、第二の実施形態の制御部１２０の機能ブロック図であり、（ｂ）は、第三の実施形態の制御部１２０の機能ブロック図である。
【図８】第二の実施形態の優先項目データベースを説明するための説明図である。
【図９】第二の実施形態の設定条件受付画面例を説明するための説明図である。
【図１０】第三の実施形態の設定条件受付画面例を説明するための説明図である。
【図１１】第三の実施形態の印加条件設定処理と撮像処理とのフローチャートである。
【図１２】（ａ）および（ｂ）は、本発明の各実施形態の変形例の設定強度表示例を説明するための説明図である。
【発明を実施するための形態】
【００１５】
＜＜第一の実施形態＞＞
以下、本発明の第一の実施形態を説明する。以下、本発明の実施形態を説明するための全図において、同一機能を有するものは同一符号を付し、その繰り返しの説明は省略する。
【００１６】
［ＭＲＩ装置の構成］
まず、本実施形態のＭＲＩ装置の構成について説明する。図１（ａ）は本実施形態のＭＲＩ装置１００のブロック図である。本実施形態のＭＲＩ装置１００は、ＮＭＲ現象を利用して被検体１０１の断層画像を得る装置である。図１（ａ）に示すように、静磁場発生磁石１０２と、傾斜磁場コイル１０３及び傾斜磁場電源１０６と、送信ＲＦコイル（送信コイル）１０４及びＲＦ送信部１０７と、受信ＲＦコイル（受信コイル）１０５及び信号検出部１０８と、信号処理部１０９と、シーケンサ１１０と、制御部１２０と、表示装置１２１と、操作部１２２と、記憶装置１２３と、被検体１０１を搭載してその被検体１０１を静磁場発生磁石１０２の内部に出し入れするベッド１１１と、を備える。
【００１７】
静磁場発生磁石１０２は、静磁場を発生する静磁場発生部として機能する。静磁場発生磁石１０２は、垂直磁場方式であれば被検体１０１の体軸と直交する方向に、水平磁場方式であれば体軸方向に、それぞれ均一な静磁場を発生させるもので、被検体１０１の周りに永久磁石方式、常電導方式あるいは超電導方式の静磁場発生源が配置される。
【００１８】
傾斜磁場コイル１０３と傾斜磁場電源１０６とは、静磁場中に配置された被検体１０１に対し、傾斜磁場を印加する傾斜磁場印加部として機能する。傾斜磁場コイル１０３は、ＭＲＩ装置の実空間座標系（静止座標系）であるＸ，Ｙ，Ｚの３軸方向に巻かれたコイルである。それぞれの傾斜磁場コイルは、それを駆動する傾斜磁場電源１０６に接続され、電流が供給される。具体的には、各傾斜磁場コイルの傾斜磁場電源１０６は、それぞれ後述のシーケンサ１１０からの命令に従って駆動されて、それぞれの傾斜磁場コイルに電流を供給する。これにより、Ｘ，Ｙ，Ｚの３軸方向に傾斜磁場Ｇｘ，Ｇｙ，Ｇｚが発生する。
【００１９】
例えば、２次元スライス面の撮像時には、スライス面（撮像断面）に直交する方向にスライス傾斜磁場パルス（Ｇｓ）が印加されて被検体１０１に対するスライス面が設定される。そのスライス面に直交し、且つ互いに直交する残りの２つの方向に位相エンコード傾斜磁場パルス（Ｇｐ）と周波数エンコード（リードアウト）傾斜磁場パルス（Ｇｆ）とが印加され、エコー信号にそれぞれの方向の位置情報がエンコードされる。
【００２０】
送信コイル１０４とＲＦ送信部１０７とは、被検体１０１の磁化を所定のフリップ角で励起させる高周波磁場パルス（ＲＦパルス）を送信する高周波磁場送信部として機能する。送信コイル１０４は、被検体１０１にＲＦパルスを照射するコイルであり、ＲＦ送信部１０７に接続され、ＲＦ送信部１０７からＲＦパルス電流が供給される。送信コイル１０４から被検体１０１にＲＦパルスを照射することにより、被検体１０１の生体組織を構成する原子の原子核スピンにＮＭＲ現象が誘起される。
【００２１】
具体的には、ＲＦ送信部１０７は、後述のシーケンサ１１０からの命令に従って駆動され、高周波パルスを振幅変調し、増幅し、被検体１０１に近接して配置される送信コイル１０４に供給する。供給された高周波パルスが、送信コイル１０４から被検体１０１に照射される。
【００２２】
受信コイル１０５と信号検出部１０８とは、被検体１０１が発生するエコー信号を受信する信号受信部として機能する。受信コイル１０５は、被検体１０１の生体組織を構成する原子核スピンのＮＭＲ現象により放出されるＮＭＲ信号（エコー信号）を受信するコイルであり、信号検出部１０８に接続され、受信したエコー信号を信号検出部１０８に送る。信号検出部１０８は、受信コイル１０５で受信したエコー信号の検出処理を行う。
【００２３】
具体的には、送信コイル１０４から照射されたＲＦパルスによって誘起された被検体１０１の応答のエコー信号は、被検体１０１に近接して配置された受信コイル１０５で受信されると、信号検出部１０８送られる。信号検出部１０８は、後述のシーケンサ１１０からの命令に従って、受信されたエコー信号を増幅し、直交位相検波により直交する二系統の信号に分割し、それぞれを所定数（例えば１２８，２５６，５１２等）サンプリングし、各サンプリング信号をＡ／Ｄ変換してディジタル量に変換し、後述の信号処理部１０９に送る。このように、エコー信号は所定数のサンプリングデータからなる時系列のデジタルデータ（以下、エコーデータという）として得られる。
【００２４】
信号処理部１０９は、エコーデータに対して各種の信号処理を行い、処理後のエコーデータを制御部１２０に送る。
【００２５】
シーケンサ１１０は、被検体１０１の断層画像の再構成に必要なデータ収集のための種々の命令を、主に、傾斜磁場電源１０６と、ＲＦ送信部１０７と、信号検出部１０８に送信し、これらを制御する。具体的には、シーケンサ１１０は、後述する制御部１２０の制御で動作し、予め定めた撮像シーケンスに従って、傾斜磁場電源１０６、ＲＦ送信部１０７及び信号検出部１０８を制御して、被検体１０１へのＲＦパルスと傾斜磁場パルスとの印加、および被検体１０１からのエコー信号の検出を繰り返し実行し、被検体１０１の撮像領域の画像の再構成に必要なエコーデータを収集する。
【００２６】
制御部１２０は、シーケンサ１１０の制御、各種データ処理、処理結果の表示、および保存等の制御を行うものであって、ＣＰＵ及びメモリを内部に有する。本実施形態では、上述の信号受信部が受信したエコー信号から画像を再構成するとともに、撮像シーケンスに従って、シーケンサ１１０に傾斜磁場印加部、高周波磁場送信部、信号受信部の動作を制御する指令を与える。なお、撮像シーケンスは、制御部１２０により、ユーザにより設定された撮像条件およびユーザにより指定されたパルスシーケンスにより生成される。
【００２７】
本実施形態の制御部１２０は、具体的には、ユーザが設定した撮像条件とユーザが設定したパルスシーケンスとに従って、シーケンサ１１０を制御してエコーデータの収集を実行させ、収集されたエコーデータを、そのエコーデータに印加されたエンコード情報に基づいて、メモリのｋ空間に相当する領域に記憶する。メモリのｋ空間に相当する領域に記憶されたエコーデータ群をｋ空間データともいう。そして、このｋ空間データに対して信号処理やフーリエ変換による画像再構成等の処理を実行し、その結果である被検体１０１の画像を、後述の表示装置１２１に表示させると共に記憶装置１２３に記録する。
【００２８】
表示装置１２１および操作部１２２は、ＭＲＩ装置１００の各種制御情報や演算処理に必要な情報および演算処理結果をユーザとやりとりするインタフェースである。本実施形態のＭＲＩ装置１００は、表示装置１２１および操作部１２２を介して、ユーザからの入力を受け付ける。この操作部１２２は表示装置１２１に近接して配置され、操作者が表示装置１２１を見ながら操作部１２２を通してインタラクティブにＭＲＩ装置１００の各種処理を制御する。例えば、表示装置１２１は、再構成された被検体１０１の画像を表示する。また、操作部１２２は、入力装置となるトラックボール、マウス、キーボード等の少なくとも１つを備える。
【００２９】
記憶装置１２３は、ＭＲＩ装置１００の動作に必要な情報、処理途中のデータ等が記憶される。例えば、光ディスク、磁気ディスク等で構成される。
【００３０】
なお、図１（ａ）において、送信コイル１０４と傾斜磁場コイル１０３とは、被検体１０１が挿入される静磁場発生磁石１０２の静磁場空間内に、垂直磁場方式であれば被検体１０１に対向して、水平磁場方式であれば被検体１０１を取り囲むようにして設置される。また、受信コイル１０５は、被検体１０１に対向して、或いは取り囲むように設置される。
【００３１】
現在のＭＲＩ装置１００の撮像対象核種は、臨床で普及しているものとしては、被検体１０１の主たる構成物質である水素原子核（プロトン）である。ＭＲＩ装置１００では、プロトン密度の空間分布や、励起状態の緩和時間の空間分布に関する情報を画像化することで、人体頭部、腹部、四肢等の形態または、機能を２次元もしくは３次元的に撮像する。このとき、ＭＲＩでは、特定領域のプロトンのみを励起するため、ＲＦパルスを傾斜磁場とともに印加する。
【００３２】
上記ＭＲＩ装置１００による撮像方法を説明する。傾斜磁場により異なる位相エンコードを与え、それぞれの位相エンコードで得られるエコー信号を検出する。位相エンコードの数は通常１枚の画像あたり１２８、２５６、５１２等の値が選ばれる。各エコー信号は通常１２８、２５６、５１２、１０２４個のサンプリングデータからなる時系列信号として得られる。
【００３３】
ＭＲＩ装置１００では、これらのデータをフーリエ変換（以下、ＦＴ）して１枚のＭＲ画像を作成したり、各種の解析を行ったりし、その結果をユーザに提示する。ＭＲＩ装置１００では、撮像に先がけて、様々な効果を持つプリパルスを印加する場合がある。
【００３４】
［プリサチュレーションパルス］
本実施形態では、プリパルスとして、プリサチュレーションパルスを印加する。このプリサチュレーションパルス３００は、図２に示すパルスシーケンス例に示すように、撮像シーケンスに先立ち印加されるプリパルスの一種で、血流、脂肪、体動、脳脊髄液等に起因するアーチファクトを抑制する働きを持つ。プリサチュレーションパルス３００の強度は、プリサチュレーションパルスとして印加する高周波磁場（ＲＦ）パルスの振幅３０１と、印加時間３０２とを用い、以下の式（１）で表される。
強度＝振幅×印加時間  ・・・（１）
【００３５】
［制御部の機能］
プリサチュレーションパルスの印加条件は、撮像条件に含まれ、ユーザが設定する。上記プリサチュレーションパルスは、目的に応じて複数印加されることがある。この場合、印加予定の各プリサチュレーションパルスについて、印加条件を設定する必要がある。
【００３６】
本実施形態の制御部１２０は、上述のように、撮像シーケンスに従って、撮像を実行する撮像部２３０に加え、印加するプリサチュレーションパルスの印加条件を設定する。このため、本実施形態の制御部１２０は、図１（ｂ）に示すように、印加する複数のプリサチュレーションパルスそれぞれについての、ユーザが設定した設定条件の追加および削除を含む変更を受け付ける受付部２１０と、受け付けた各前記プリサチュレーションパルスの前記設定条件に基づき、印加条件を決定する印加条件決定部２２０と、撮像部２３０と、を備える。本実施形態の撮像部２３０は、決定した印加条件に従って各前記プリサチュレーションパルスを印加し、その後、プリサチュレーションパルス以外の撮像条件に従って、撮像を実行する。
【００３７】
制御部１２０が実現する各機能は、記憶装置１２３に格納されたプログラムを、制御部１２０のＣＰＵがメモリにロードして実行することにより実現される。また、全部または一部の機能は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（ｆｉｅｌｄ−ｐｒｏｇｒａｍｍａｂｌｅ  ｇａｔｅ  ａｒｒａｙ）などのハードウェアによって実現してもよい。また、各機能の処理に用いる各種のデータ、処理中に生成される各種のデータは、記憶装置１２３に格納される。
【００３８】
［受付部］
本実施形態の受付部２１０は、プリサチュレーションパルスの印加条件を含む、各種の撮像条件の設定を受け付ける。以下、本明細書では、プリサチュレーションパルスの印加条件の受け付けに主眼をおいて説明する。
【００３９】
受付部２１０は、プリサチュレーションパルスの印加条件として設定する条件（以下、設定条件と呼ぶ）として、プリサチュレーションパルス３００の、印加位置と印加幅（以下、両者を合わせて印加領域と呼ぶ）と、印加する際の強度（以下、設定強度と呼ぶ）とを受け付ける。
【００４０】
上述のように、プリサチュレーションパルスは、撮像画像の目的や、抑制する組織、発生し得るアーチファクト等に応じて、必要とする印加強度は異なる。本実施形態では、それぞれの印加目的に応じて、最適な強度を選択可能とする。
【００４１】
本実施形態では、設定強度は、予め定めた所定の段階で指定する。ここでは、一例として、弱、中、強の３段階で強度を指定する場合を例にあげて説明する。この場合、受付部２１０は、例えば、予め、ユーザが選択可能な強度の段階ごとに、プリサチュレーションパルスの強度を対応づけたテーブルを作成し、記憶装置１２３に記憶しておく。そして、ユーザの指定に応じて、対応づけて記憶される強度に変換する。
【００４２】
本実施形態の受付部２１０は、設定条件を受け付ける際、表示装置１２１に、位置決め画像を表示し、表示された位置決め画像上で、前記設定条件を受け付ける。本実施形態では、位置決め画像を表示するとともに、ユーザからの設定条件の入力を受け付ける設定条件受付画面を生成し、当該画面を介して受け付ける。
【００４３】
［設定条件受付画面］
ここで、本実施形態の受付部２１０が生成する設定条件受付画面４００の例を、図３を用いて説明する。ここでは、１例として、椎間板ヘルニアを診断するため、椎間板が脊髄神経を圧腓している程度を観察することを目的とする撮像において、プリサチュレーションパルスの設定条件を受け付ける場合を例にあげて説明する。
【００４４】
本実施形態の設定条件受付画面４００は、位置決め画像を表示するとともに、プリサチュレーションパルスの印加領域および設定強度の設定を受け付ける画像表示領域４１０と、設定終了の意思を受け付ける完了ボタン４２０と、を備える。各領域の配置、形状などは、一例であり、これに限定されない。
【００４５】
図３では、位置決め画像として、胸腹部の画像が表示される例を示す。ここでは、三断面画像を表示する場合を例示する。画像表示領域４１０のうち、４１１は、冠状断面像表示領域であり、４１２は、横断面像表示領域であり、４１３は、矢状断面像表示領域である。
【００４６】
ここで、ユーザは、冠状断面像表示領域４１１上で、第一のプリサチュレーションパルス３１０の設定条件を設定する。この第一のプリサチュレーションパルス３１０は、心臓４５１からの拍動による下行大動脈４５２の心拍に同期した血流によるフローアーチファクトを低減するために心臓近傍に強い強度で印加される。なお、４５３は、スライスラインである。
【００４７】
ユーザは、冠状断面上で、これを満たす印加領域を設定する。印加領域の設定は、例えば、所望の領域を画像上で操作部１２２のマウス等でクリックすることにより、当該位置にラインを表示させ、そして、当該ラインをマウスでドラッグすることにより所望の幅にする、といった手法で設定する。また、このとき、設定強度を強と設定する。設定強度は、例えば、印加領域上にプルダウンメニューを表示して当該メニュー上で選択するなどの手法で指定する。
【００４８】
さらに、ユーザは、横断面像表示領域４１２上で、第二のプリサチュレーションパルス３２０の設定条件を設定する。ここでは、位相方向は左右（Ｒ−Ｌ）方向４５４とする。
【００４９】
側腹壁４５５は、一般に脂肪を多く含み、脂肪のＴ１値は他組織に比べて相対的に短い。従って、脂肪は、特に、Ｔ１強調画像で強い信号強度を示す。このため呼吸による腹壁動で脂肪が強いアーチファクトとなって関心領域に及ぶことがしばしば認められる。そこで、第二のプリサチュレーションパルス３２０として、本図に示すように、左右の側腹壁上に一対の弱い（心臓印加時の６６％）プリサチュレーションパルスを設定する。側腹壁のアーチファクトは下行大動脈４５２のそれよりも弱いため、弱いプリサチュレーションパルス強度で十分だからである。なお、本図において、４５６は、椎間板、４５７は、脊髄である。
【００５０】
ユーザは、横断面上で、これを満たす印加領域を設定する。また、このとき、設定強度を弱と設定する。印加領域および設定強度の設定手法は、第一のプリサチュレーションパルス３１０と同様である。
【００５１】
なお、設定するプリサチュレーションパルスは、この２種に限定されない。さらに、矢状断面像表示領域４１３において、他のプリサチュレーションパルスの設定条件を設定してもよいし、同じ冠状断面像表示領域４１１および横断面像表示領域４１２において、他のプリサチュレーションパルスの設定条件を設定してもよい。
【００５２】
また、印加領域の設定手法、設定強度の設定手法も上記手法に限定されない。印加領域、設定強度が特定されれば、どのような手法であってもよい。
【００５３】
また、設定強度も、予め定めた段階での指定に限定されない。例えば、プリサチュレーションパルスのフリップ角を指定するよう構成してもよい。
【００５４】
また、ここでは、撮像条件として、初期のプリサチュレーションパルスが設定されていない場合を例にあげて説明したが、これに限定されない。例えば、プリサチュレーションパルスの設定条件も含むプリセットされた撮像条件が選択され、当該プリサチュレーションパルスの設定条件に応じた印加領域および強度が初期状態で表示されていてもよい。この場合、初期状態の表示を操作部１２２による操作により変更し、所望の印加領域、設定強度を設定する。
【００５５】
以下、本明細書では、プリサチュレーションパルスの設定とは、初期状態で表示されているプリサチュレーションパルスの設定条件の変更、削除、新たなプリサチュレーションパルスの追加等の全てを含むものとする。
【００５６】
受付部２１０は、ユーザによる完了ボタン４２０の押下を受け、その時点で設定条件受付画面４００上に設定されている設定条件を受け付ける。
【００５７】
［印加条件決定部］
印加条件決定部２２０は、受付部２１０で受け付けた各プリサチュレーションパルスの設定条件に基づいて、最も効率良く抑制効果を得られるよう、前記印加条件を決定する。本実施形態では、複数のプリサチュレーションパルスのうち、設定強度が強いプリサチュレーションパルスほど後になるよう印加順を決定し、同じ設定強度のプリサチュレーションパルスが複数ある場合は、それらについては、印加順が後のプリサチュレーションパルスの強度ほど弱くなるよう、実際に印加する際の印加強度を調整する。すなわち、本実施形態の印加条件決定部２２０は、複数のプリサチュレーションパルスの印加条件を、最も効率よく抑制効果が得られるよう、最適化する。
【００５８】
これを実現するため、本実施形態の印加条件決定部２２０は、図１（ｂ）に示すように、印加順を決定する印加順決定部２２１と、印加強度を決定する印加強度決定部２２２とを備える。
【００５９】
［印加順決定部］
印加順決定部２２１は、受付部２１０で受け付けた複数のプリサチュレーションパルスの印加順を決定する。本実施形態では、設定強度が大きいものほど、撮像シーケンス５００に近いタイミングで印加されるよう、印加順を決定する。
【００６０】
受付部２１０で、３つのプリサチュレーションパルス３３１、３３２、３３３を受け付けた場合を例にあげ、図４を用いて、印加順決定部２２１による印加順決定手法を説明する。本図に示すように、受け付けた複数のプリサチュレーションパルス３３１、３３２、３３３は、撮像シーケンス５００に先立ち、所定の間隔をおいて、順番に印加される。印加順決定部２２１は、この順番を決定する。なお、ここでは、３つのプリサチュレーションパルス３３１、３３２、３３３は、全て同じ強度に設定されたものとする。
【００６１】
例えば、プリサチュレーションパルス３３１、３３２、３３３の順に印加されるものとする。この場合、時間的に前に印加されたプリサチュレーションパルス３３１よりも、時間的に後に印加されたプリサチュレーションパルス３３２、３３３の方が撮像シーケンス５００に時間的に近い。すなわち、プリサチュレーションパルス３３１の印加から撮像シーケンス５００開始までの時間と、プリサチュレーションパルス３３２、３３３の印加から撮像シーケンス５００開始までの時間とを比べると、前者の方が長い。
【００６２】
各プリサチュレーションパルス３３１、３３２、３３３で飽和された組織を、それぞれ３４１、３４２、３４３とする。図４の各矢印により、撮像シーケンス５００実行時の各組織の回復状態を示す。本図に示すように、飽和された組織３４１の縦磁化の回復に比べて、飽和された組織３４２、３４３の縦磁化の回復の方が、相対的に遅い。従って、組織３４１に比べて、組織３４２、３４３の方が、プリサチュレーションパルスによる抑制効果が強くなる。
【００６３】
このため、より強い効果を望むプリサチュレーションパルスを、時間的に後に配置することにより、各プリサチュレーションパルスの強度を必要最小限に抑えることができる。
【００６４】
従って、本実施形態の印加順決定部２２１は、効率よく最良の抑制効果を得るため、上述のように、設定強度の大きいプリサチュレーションパルスほど、時間的に後に印加するよう印加順を決定する。
【００６５】
［印加強度決定部］
印加強度決定部２２２は、上述のように、各プリサチュレーションパルスの印加強度を決定する。基本的には、設定強度および印加タイミングに応じて、予め定めたフリップ角を印加強度と設定する。印加タイミングは、印加順により定まる。
【００６６】
本実施形態では、予め、設定強度毎に、ユーザが所望する抑制効果（撮像時の飽和組織の回復度合い）が定められているものとする。印加強度決定部２２２は、印加順により定まる印加タイミングで印加した場合、撮像シーケンス実行時に当該回復度合いが得られるよう、各プリサチュレーションパルスの印加強度を決定する。印加強度決定部２２２は、この印加強度を、例えば、予め実験で得られた信号回復曲線に従って決定する。
【００６７】
また、設定強度が同じプリサチュレーションパルスが複数ある場合、これらのプリサチュレーションパルスが、撮像シーケンス実行時に同じ抑制効果が得られるよう、それぞれの印加強度を決定する。印加強度は、印加順で定まる印加タイミングから撮像シーケンス実行時までの時間に応じて、決定する。
【００６８】
具体的には、先に印加されるプリサチュレーションパルスの強度を相対的に強くし、後に印加されるプリサチュレーションパルスの強度を相対的に弱くする。この場合も、印加強度決定部２２２は、それぞれの印加強度を、例えば、予め実験で得た信号回復曲線に従って、算出する。
【００６９】
なお、印加強度の決定は、上記手法に限定されない。例えば、印加タイミング毎に、設定強度に応じた印加強度をテーブルとして作成しておき、当該テーブルから印加強度を取得するよう構成してもよい。
【００７０】
印加条件決定部２２０は、受付部２１０が受け付けた印加領域、印加順決定部２２１が決定した印加順、および、印加強度決定部２２２が決定した印加強度を、プリサチュレーションパルスの印加条件として、撮像条件に反映する。
【００７１】
［撮像部］
撮像部２３０は、上述のように、印加条件決定部２２０が決定した印加条件に従って、受付部２１０で受け付けた印加領域に、プリサチュレーションパルスを印加し、撮像を実行する。
【００７２】
［撮像処理の流れ］
本実施形態の制御部１２０の各部による、プリサチュレーションパルスの印加条件設定処理と撮像処理の流れを説明する。図５は、本実施形態の印加条件設定処理と撮像処理との処理フローである。
【００７３】
受付部２１０は、設定条件受付画面４００を表示し、印加するプリサチュレーションパルスの設定条件、ここでは、印加領域、および、設定強度を受け付ける（ステップＳ１１０１）。
【００７４】
次に、印加順決定部２２１は、受け付けた各プリサチュレーションパルスの印加順を決定する（ステップＳ１１０２）。そして、印加強度決定部２２２は、印加順を決定後の各プリサチュレーションパルスの設定強度と印加順とに応じて、それぞれの印加強度を決定する（ステップＳ１１０３）。
【００７５】
印加条件決定部２２０は、印加順決定部２２１が決定した各プリサチュレーションパルスの印加順、印加強度決定部２２２が決定した印加強度、および受付部２１０が受け付けた印加領域を撮像条件に反映する（ステップＳ１１０４）。
【００７６】
撮像部２３０は、撮像条件に従って、各プリサチュレーションパルスを印加し、撮像を実行する（ステップＳ１１０５）。
【００７７】
以上説明したように、本実施形態のＭＲＩ装置１００は、印加する複数のプリサチュレーションパルスそれぞれの設定条件の変更を受け付ける受付部２１０と、受け付けた各前記プリサチュレーションパルスの前記設定条件に基づき、印加条件を決定する印加条件決定部２２０と、決定した印加条件に従って各前記プリサチュレーションパルスを印加し、撮像を実行する撮像部２３０と、を備え、前記印加条件決定部２２０は、最も効率良く抑制効果を得られるよう、少なくとも２つのプリサチュレーションパルスの印加条件が異なるよう、前記印加条件を決定する。
【００７８】
このとき、前記受付部２１０は、前記設定条件として前記プリサチュレーションパルスの設定強度を受け付け、前記印加条件決定部２２０は、前記設定強度に応じて各前記プリサチュレーションパルスの印加順を決定するとともに、当該設定強度と前記印加順とに基づいて各前記プリサチュレーションパルスの印加強度を決定してもよい。
また、前記設定条件は、さらにプリサチュレーションパルスの印加領域も含み、前記受付部２１０は、表示装置１２１に表示された位置決め画像上で、前記設定条件を受け付けてもよい。
そして、前記印加条件決定部２２０は、前記設定強度が強い前記プリサチュレーションパルスほど後になるよう前記印加順を決定し、同じ設定強度の前記プリサチュレーションパルスについては、前記印加順が後のプリサチュレーションパルスの強度ほど弱くなるよう前記印加強度を決定してもよい。
【００７９】
上述のように、本実施形態によれば、プリサチュレーションパルス毎に印加強度を指定できる。従来のように、プリサチュレーションパルス毎に印加強度を指定できない場合、最も抑制効果を高くしなければならないプリサチュレーションパルスの強度に合わせ、全てのプリサチュレーションパルスの強度が設定される。このため、本来、それほど抑制しなくてもよいプリサチュレーションパルスであっても、最も抑制しなければならないプリサチュレーションパルスの強度と同じ強度が設定される。
【００８０】
一方、本実施形態では、複数のプリサチュレーションパルスについて、それぞれ、印加領域、印加目的に応じて最適な強度を設定することができる。
【００８１】
上述のように、プリサチュレーションパルス３００の印加強度は、振幅３０１と印加時間３０２との積で表される。例えば、振幅３０１を一定に維持し、印加強度を印加時間で調整する場合、印加強度は、印加時間に比例する。従って、本実施形態によれば、プリサチュレーションパルスを印加する撮影において、プリサチュレーションパルスの印加順を最適化しない場合に比べ、プリサチュレーションパルス全体の印加時間を短縮でき、それに伴い、ＴＲ（繰返し時間）の延長を最小限に抑えられる。その結果、全体の撮像時間延長も最小限に抑えられる。
【００８２】
また、本実施形態によれば、ＴＲの延長を最小限に抑えられるため、例えば、短いＴＲを必要とするＴ１強調画像において、Ｔ１コントラストの変化を少なくすることができる。
【００８３】
例えば、撮像シーケンス５００に先立ち、図４に示す３つのプリサチュレーションパルス３３１、３３２、３３３を印加する場合を考える。指定可能な設定強度は「強」、「中」、「弱」の３段階とし、「弱」の印加時間を１．０、「中」の印加時間を、１．２、「強」の印加時間を１．４と仮定する。
【００８４】
図６（ａ）の上段に示すように、全て同一強度、例えば、「強」で印加する場合の、３つのプリサチュレーションパルス３３１、３３２、３３３の印加時間は、４．２である。一方、本実施形態のように、プリサチュレーションパルス毎に設定強度を選択できる場合、例えば、１つのプリサチュレーションパルス３３１を「強」、残りの２つのプリサチュレーションパルス３３２、３３３を「弱」で印加するよう指定できる。設定強度通り印加した場合、印加時間は、３．４となる。
【００８５】
上記仮定において、約２０％、プリサチュレーションパルスの印加時間を短縮できる。
【００８６】
例えば、印加強度が「強」の３つのプリサチュレーションパルスを印加する場合、１５ｍｓｅｃ程度、ＴＲが延長するものとする。マルチスライス撮影では、スライス毎にプリサチュレーションパルスを印加する。例えば、スライス数が２０枚の場合は、１５ｍｓｅｃ×２０枚で３００ｍｓｅｃＴＲの延長が必要となる。仮に、ＴＥが１０ｍｓｅｃである場合、ＴＲは、（１０ｍｓｅｃ＋１５ｍｓｅｃ）×２０枚で５００ｍｓｅｃ必要となる。
【００８７】
一方、本実施形態では、設定強度（印加強度）がプリサチュレーションパルス毎に選択可能であるため、例えば、印加強度が「強」の３つのプリサチュレーションパルスを印加する代わりに、目的あるいは部位に応じて、印加強度が「強」の１つのプリサチュレーションパルスと印加強度が「弱」のプリサチュレーションパルスを２つとを印加する等の調整ができる。
【００８８】
その他の条件を同じとすると、例えば、上述の例では、プリサチュレーションパルスの印加時間が２０％短縮するため、本実施形態によれば、ＴＲの延長は、１５ｍｓｅｃ×０．８で１２ｍｓｅｃで済む。マルチスライス撮影の場合、１２ｍｓｅｃ×２０枚で２２４ｍｓｅｃの延長となる。ＴＥが１０ｍｓｅｃである場合、ＴＲは、（１０ｍｓｅｃ＋１２ｍｓｅｃ）×２０枚となり、４４０ｍｓｅｃで済む。
【００８９】
また、本実施形態では、各プリサチュレーションパルスの設定強度に応じて、印加順、印加条件を決定する。最も効率良く、抑制効果が得られるよう、この印加順、印加条件は決定される。
【００９０】
例えば、上記３つのプリサチュレーションパルス３３１、３３２、３３３の設定強度が全て「強」である場合、全て設定強度が同じであるため、印加順決定部２２１は、これらの印加順は、そのまま、３３１、３３２、３３３と決定する。
【００９１】
そして、本実施形態の印加強度決定部２２２は、上述のように、信号回復曲線を用い、印加強度比を決定する。例えば、最終的に、各プリサチュレーションパルス３３１、３３２、３３３により１：１：１の抑制効果を得たい場合、例えば、印加強度比は、１．４：１．２：１など決定される。
【００９２】
本実施形態の印加強度決定部２２２による強度決定処理が行われない場合、各プリサチュレーションパルス３３１、３３２、３３３は、設定強度が同じであるため、例えば、高度比１：１：１で印加される。この場合、実際の抑制効果は、印加順に応じて、３３１＜３３２＜３３３となる。従って、これらのプリサチュレーションパルス３３１、３３２、３３３は、設定強度が同じであるにも関わらず、同等の効果が得られない。
【００９３】
また、上記３つのプリサチュレーションパルス３３１、３３２，３３３の設定強度が、それぞれ、「強」、「中」、「弱」である場合、本実施形態の印加順決定部２２１は、図６（ｂ）の最下段に示すように、印加順を、３３３、３３２、３３１と決定する。
【００９４】
例えば、「強」、「中」、「弱」それぞれのプリサチュレーションパルスによる抑制効果を、１．４：１．２：１．０程度の比率で得たい場合、「強」、「中」と指定されたプリサチュレーションパルスの、「弱」に対する印加強度比を、信号回復曲線に従って、それぞれ、抑制効果比より多少小さく設定すればよい。一例として、１．２：１．１：１．０とする場合を図６（ｂ）の最下段に示す。
【００９５】
一方、本実施形態の印加条件決定部２２０による印加条件決定処理が行われない場合、上記プリサチュレーションパルス３３１「強」、３３２「中」、３３３「弱」は、例えば、指定された３３１、３３２、３３３の順で印加される。そして、各パルスは、所望の抑制効果に応じて、図６（ｂ）の最上段に示すように、強度比１．４：１．２：１．０で印加される。
【００９６】
しかしながら、この場合、印加タイミングを考慮すると、実際の抑制効果は、この強度比ほど得られない。この順で印加し、同等の抑制効果を得たい場合は、例えば、図６（ｂ）の中段に示すように、１．６：１．４：１．０とするなど、「強」および「中」の「弱」に対する印加強度比を、それぞれ、抑制効果比より大きく設定する必要がある。
【００９７】
上述したように、プリサチュレーションパルスの強度は、振幅３０１と印加時間３０２との積である。本実施形態では、後述のように、実際の撮像時には、印加強度の調整を、プリサチュレーションパルスの印加時間３０２で行う。
【００９８】
従って、上記例の場合、本実施形態によれば、設定強度が「強」、「中」、「弱」の３つのプリサチュレーションパルス３３１、３３２、３３３を、３３３、３３２、３３１の順に、それぞれ、１．０：１．１：１．２の強度比で印加する。弱の印加時間を１．０とすると、本実施形態の手法による、プリサチュレーションパルス印加にかかる時間は、３．３である。一方、印加順を最適化せず、本実施形態と同様の抑制効果を得るためには、３つのプリサチュレーションパルス３３１、３３２、３３３を、設定された順に、それぞれ、１．６：１．４：１．０で印加する必要がある。この場合、プリサチュレーションパルス印加に係る時間は４．０である。
【００９９】
このように、本実施形態によれば、より短い時間で、効率よく同じ抑制効果を得ることができる。
【０１００】
上述のように、Ｔ１強調画像は、短いＴＲ、短いＴＥを設定することによりＴ１コントラストを得る画像種である。磁場強度によってＴ１値が異なるが、Ｓｐｉｎ  Ｅｃｈｏ系シーケンスでは、一般にＴＲは４００〜６００ｍｓｅｃ前後が用いられる。ＴＥが１０ｍｓｅｃ、マルチスライスのスライス数が２５の場合、ＴＲは最短で２５×１０＝２５０ｍｓｅｃ前後が設定可能である。
【０１０１】
このとき、本実施形態の手法で印加順を最適化せず、プリサチュレーションパルスを３つ印加する場合、ＴＲが２５０＋１５×２５＝６２５ｍｓｅｃ必要となり、Ｔ１コントラストの劣化、および撮像時間の延長を来たす。
【０１０２】
臨床では良好な画像を取得することと共に、検査時間を短縮することも、被検者の負担及び検査効率の向上という点において重要である。本実施形態によれば、ＴＲの延長を最小限に抑えることができ、被検者の負担を低減し、検査効率を向上させることができる。
【０１０３】
また、最近普及しつつある３Ｔ装置では、ＳＡＲの制御が重要である。ＭＲＩ装置１００では、ＲＦ信号を被検体１０１に印加する。このＲＦ信号は、被検体の体温を上昇させる。このため、安全面の観点から、被検体の単位質量当たりの吸収エネルギーとしてのＳＡＲの上限値が安全基準値として、ＩＥＣ（Ｉｎｔｅｒｎａｔｉｏｎａｌ  Ｅｌｅｃｔｒｏｔｅｃｈｎｉｃａｌ  Ｃｏｍｍｉｓｓｉｏｎ）規格として規定されている。例えば、ＳＡＲ（単位はＷ/ｋｇ）は、生体組織１ｋｇに吸収されるＲＦ信号のエネルギーとして定義され、任意の１０秒間での平均ＳＡＲ（以下、単に１０秒平均ＳＡＲと呼ぶ）の上限値および直近の６分間での平均ＳＡＲ（以下、単に６分平均ＳＡＲと呼ぶ）の上限値などが、全身や頭部等の撮像部位に応じてそれぞれ規定されている。
【０１０４】
ＭＲＩ装置１００では、この上限値を超える撮像条件は設定できないため、撮像条件によっては、一定時間撮像を中断する必要があり、待ち時間が発生する。
【０１０５】
ＭＲＩ装置１００の各物理量とＳＡＲとは、以下の式（２）の関係がある。
【数２】
2016202804.tif 000003
ここで、σは、電気伝導度、Ｄは、Ｄｕｔｙ  Ｃｙｃｌｅ、Ｂ0は、静磁場強度、θは、フリップ角、Ｒは、被検体１０１の撮像部位の半径、ρは、比重である。本式より、プリサチュレーションの強度は、フリップ角θに相当するため、プリサチュレーションの強度が増すに従って、ＳＡＲが二乗で上昇することが分かる。
【０１０６】
本実施形態によれば、印加順、印加強度を最適化しない場合に比べ、同じ抑制効果を、より短い時間で、より小さい強度のプリサチュレーションパルスで実現できる。このため、その分、ＳＡＲも抑えることができる。
【０１０７】
例えば、上記例では、印加順、印加強度を最適化せずに印加した場合に対する、本実施形態のように印加順、印加強度を最適化して印加した場合する場合の強度比（印加時間比）は、３．３2/４．０2で、０．６８となり、３０％程度ＳＡＲが低減する。
【０１０８】
このように、本実施形態によれば、被検者の負担が軽減する。また、ＳＡＲを抑えることができるため、その分、待ち時間も低減し、撮像を効率化できる。
【０１０９】
以上説明したように、本実施形態によれば、１回の撮像シーケンス内で複数のプリサチュレーションパルスを印加する場合であっても、各プリサチュレーションパルスの最適な印加条件を容易に設定でき、撮像時間の延長を防止し、コントラスト変化の最小化、ＳＡＲ上昇の最小化、を実現できる。すなわち、本実施形態によれば、検査のスループット低下を抑え、被検者に負担を与える撮像時間の延長を防ぎつつ、臨床目的に応じた撮像画像のコントラストの劣化の防止、ＳＡＲの不要な上昇を防止し被検体１０１の負担を軽減することができる。
【０１１０】
＜＜第二の実施形態＞＞
本発明の第二の実施形態を説明する。第一の実施形態では、設定条件として、受付部において、各プリサチュレーションパルスの印加領域と設定強度を受け付ける。一方、本実施形態では、設定条件として、各プリサチュレーションパルスの印加領域と優先項目を受け付ける。
【０１１１】
本実施形態のＭＲＩ装置は、基本的に第一の実施形態のＭＲＩ装置１００と同様の構成を備える。ただし、上述のように、設定条件として優先項目を受け付けるため、制御部１２０の各部の処理内容が異なる。以下、本実施形態について、第一の実施形態と異なる構成に主眼をおいて説明する。
【０１１２】
本実施形態の制御部１２０は、図７（ａ）に示すように、第一の実施形態同様、受付部２１０と、印加条件決定部２２０と、撮像部２３０と、を備える。
【０１１３】
［受付部］
本実施形態の受付部２１０は、第一の実施形態同様、印加するプリサチュレーションパルスの印加領域および強度の指定を設定条件として受け付ける。印加領域の指定は、第一の実施形態と同様である。すなわち、表示装置１２１に、位置決め画像を表示し、表示された位置決め画像上で、受け付ける。
【０１１４】
一方、強度については、本実施形態では、優先項目の指定を受け付けることにより、受け付ける。優先項目は、撮影実行時に重視する事項であり、例えば、「撮像時間・コントラスト」、「ＳＡＲ」、「プリサチュレーション」などを含む。
【０１１５】
本実施形態の受付部２１０は、ユーザから優先項目の指定を受け付けるため、例えば、予め定めた優先項目に対応づけて、プリサチュレーションパルスの設定強度を保持する優先項目データベース（優先項目ＤＢ）２１１を備える。この優先項目ＤＢ２１１は、例えば、記憶装置１２３上に構築される。本実施形態の受付部２１０は、この優先項目ＤＢ２１１に登録される優先項目をユーザに提示し、当該優先項目を介して、設定強度の指定を受け付ける。
【０１１６】
ここで、優先項目ＤＢ２１１の概要を説明する。優先項目ＤＢ２１１の一例を図８に示す。本図に示すように、本実施形態の優先項目ＤＢ２１１は、ユーザが選択可能な優先項目２１２毎に、各プリサチュレーションパルスに設定する設定強度２１３が登録される。本実施形態では、各優先項目２１２に対応づけて、１種類の設定強度２１３が登録されるものとする。登録される優先項目２１２、設定強度２１３の具体例は後述する。
【０１１７】
本実施形態の受付部２１０は、設定条件を受け付ける際、第一の実施形態同様、設定条件受付画面を生成し、当該画面を介して受け付ける。本実施形態の設定条件受付画面４００ａの例を、図９を用いて説明する。
【０１１８】
本実施形態の設定条件受付画面４００ａは、第一の実施形態同様、画像表示領域４１０と、設定終了の意思を受け付ける完了ボタン４２０と、を備える。本実施形態の画像表示領域４１０では、位置決め画像を表示し、プリサチュレーションパルスの印加領域の設定を受け付ける。
【０１１９】
また、本実施形態の設定条件受付画面４００ａは、さらに、優先項目の指定を受け付ける優先項目受付欄４３０を備える。受付部２１０は、例えば、優先項目受付欄４３０にプルダウンメニュー等を表示し、優先項目の指定を受け付ける。プルダウンメニューに表示される優先項目は、優先項目ＤＢ２１１の優先項目２１２に登録された項目である。
【０１２０】
本実施形態の受付部２１０は、設定条件受付画面４００ａを生成する際、優先項目ＤＢ２１１から優先項目２１２を読み出し、優先項目受付欄４３０に表示する。そして、ユーザが選択した優先項目に対応づけて、優先項目ＤＢ２１１に登録される設定強度２１３を、ユーザが設定した各プリサチュレーションパルスの設定強度とする。
【０１２１】
本実施形態では、優先項目として、ユーザが項目を指定すると、全てのプリサチュレーションパルスの設定強度が自動的に定まる「Ａｕｔｏ」と、第一の実施形態同様、ユーザが所望の設定強度を設定する「Ｍａｎｕａｌ」と、が優先項目ＤＢ２１１に用意される。そして、「Ａｕｔｏ」として、例えば、「撮像時間・コントラスト」重視、「ＳＡＲ」重視、「プリサチ」重視が用意される。
【０１２２】
「撮像時間・コントラスト」は、プリサチュレーションパルス強度を弱く、すなわち、印加時間を短くし、ＴＲの延長を防ぎ、画像のコントラストの変化を最小限に抑えたい場合に選択される優先項目２１２である。従って、「撮像時間・コントラスト」には、設定強度２１３として「弱」が対応づけて保存される。
【０１２３】
「プリサチ」は、プリサチュレーションパルスを最大強度にしてアーチファクト除去を目的にする場合に選択される優先項目２１２である。主にＴ２強調撮像などで長いＴＲの場合に選択される。従って、「プリサチ」には、設定強度２１３として「強」が対応づけて保存される。
【０１２４】
「ＳＡＲ」は、ＳＡＲの安全基準を満たすことを重視する場合に選択される優先項目２１２である。ここでは、設定強度２１３として、１０秒平均ＳＡＲの上限値に対する割合が保存される。プリサチュレーションパルスの設定強度は、１０秒平均ＳＡＲを当該割合以下に抑えた中で、最大の強度となるよう算出される。これにより、ＳＡＲの安全基準を満たすための待ち時間の発生を抑え、ＳＡＲの安全基準を満たしながら、スループットを向上させる。
【０１２５】
図８の例では、「ＳＡＲ」に対応づけて、設定強度２１３として５０％が登録される。なお、この５０％は、以下の理由による。ＩＥＣでは、１０秒平均ＳＡＲは６分平均ＳＡＲの２倍まで許容されている。しかしながら、例えば、パルスシーケンス内で１０秒平均ＳＡＲの上限値の限度まで各ＲＦパルスのフリップ角が設定されると、パルスシーケンスを複数回実行した場合に、６分平均ＳＡＲの上限値を超える。この場合、上述のように、一定時間パルスシーケンスの実行を中断する。パルスシーケンス実行時に、ＳＡＲの制約により、この中断が生じないようにするため、１０秒平均ＳＡＲの上限値を６分平均ＳＡＲの上限値と同じとする。例えば、１０秒平均ＳＡＲの上限値が６分平均ＳＡＲの上限値の２倍と設定されていると仮定して、５０％とする。
【０１２６】
以下、設定強度２１３として指定された割合に応じて、受付部２１０が設定強度を算出する手法について、説明する。
【０１２７】
まず、パルスシーケンスのＳＡＲについて説明する。パルスシーケンスには、ｎ個のＲＦパルスが含まれるものとする。なお、ｎは、１以上の整数である。
【０１２８】
まず、一つのＲＦパルス（ｉ番目に印加されるＲＦパルス；ｉは１以上ｎ以下の整数）におけるＳＡＲを以下の式（３）で定義する。
ＳＡＲi＝Ｑi×Ｐi/Ｍ  ・・・（３）
ここで、Ｑiは、ｉ番目のＲＦパルスのＦＡ（フリップ角）、Ｐiは、ｉ番目のＲＦパルスのエネルギー換算係数、Ｍは、被検体１０１の体重である。
【０１２９】
そして、パルスシーケンス全体のＳＡＲ（ＳＡＲtotal）は、以下の式（４）で表される。
【数４】
2016202804.tif 000004
【０１３０】
一般に、このＳＡＲtotalが、１０秒平均ＳＡＲの上限値を超えないよう、パルスシーケンス内で印加される各ＲＦパルスは制御される。
【０１３１】
例えば、パルスシーケンスの１０秒平均ＳＡＲを、以下の式（５）で定義する。
【数５】
2016202804.tif 000005
ここで、ＳｃａｎＴｉｍｅは、計測時間である。上述のように、１０秒平均ＳＡＲの上限値を６分平均ＳＡＲの上限値以下とすれば、パルスシーケンス実行中に中断期間、すなわち、待ち時間は生じない。
【０１３２】
これを数式で表すと、以下の式（６）のようになる。式（６）は、１０秒平均ＳＡＲが、６分平均ＳＡＲの上限値以下、すなわち、１０秒平均ＳＡＲの上限値ＳＡＲlimitの５０％以下とする式であり、いわゆる、待ち時間が生じないための条件式である。
【数６】
2016202804.tif 000006
【０１３３】
一方、プリサチュレーションパルスで抑制しようとするアーチファクトの強度は、組織や画像種によって様々であり、強い強度を必要とする場合もあれば、弱い強度で十分な場合もある。従って、不必要に強いプリサチュレーションを印加した場合、ＳＡＲ上昇に伴うパラメータ制限や、待ち時間による検査効率の低下が問題となる。
【０１３４】
優先項目２１２として「ＳＡＲ」を選択した場合の、プリサチュレーションパルスのＳＡＲについては、以下のように考える。パルスシーケンスにｎ個のＲＦパルスが含まれているとき、そのうちのｎp個がプリサチュレーションパルス、ｎm個がプリサチュレーションパルス以外のパルスとする。これらの関係は、以下の式（７）の通りである。
【数７】
2016202804.tif 000007
【０１３５】
この場合、パルスシーケンス全体のＳＡＲは、式（５）より、以下の式（８）で表される。
【数８】
2016202804.tif 000008
式（８）を、待ち時間が生じないための条件式（６）に代入すると、以下の式（９）、式（１０）で表され、プリサチュレーションパルスに割り当てられるＳＡＲは、以下の式（１１）で表される。
【数９】
2016202804.tif 000009
【数１０】
2016202804.tif 000010
【数１１】
2016202804.tif 000011
【０１３６】
以上より、受付部２１０は、例えば、まず、１０秒平均ＳＡＲの上限値の５０％の値に計測時間（ＳｃａｎＴｉｍｅ）を１０秒で除算した値を乗算する。そして、その値から、撮像シーケンスで用いられる全ＲＦパルスによるＳＡＲ値を減算する。そして得られた値を、設定されたプリサチュレーションパルス数で除算し、１つのプリサチュレーションパルス当たりの設定強度とする。
【０１３７】
なお、優先項目ＤＢ２１１には、その他、ユーザが好みの印加強度を設定する優先項目２１２として、「Ｍａｎｕａｌ（マニュアル）」が用意されていてもよい。この「マニュアル」には、設定強度２１３として「中」が保存される。
【０１３８】
「マニュアル」が選択された場合は、第一の実施形態同様、受付部２１０は、画像表示領域４１０上設定された印加領域上で、設定強度の指定を受け付ける。
【０１３９】
なお、「Ａｕｔｏ」が選択された場合であっても、受け付けた優先項目２１２に対応づけて登録される設定強度２１３を読み出し、画像表示領域４１０の印加領域に設定強度を表示するよう構成してもよい。
【０１４０】
さらに、このとき、受付部２１０は、第一の実施形態同様、画像表示領域４１０を介して、表示された設定強度を変更可能なように構成してもよい。この場合、変更を受け付けた時点で、選択された優先項目２１２は、自動的に「Ｍａｎｕａｌ」に変更される。
【０１４１】
また、完了ボタン４２０が押下されるまでの間は、優先項目の指定、設定強度の指定、いずれも、変更可能とする。
【０１４２】
［印加条件決定部］
本実施形態の印加条件決定部２２０は、基本的に第一の実施形態と同様に、受付部２１０で受け付けた各プリサチュレーションパルスの条件に基づいて、最も効率良く抑制効果を得られるよう、前記印加条件を決定する。本実施形態においても、複数のプリサチュレーションパルスのうち、設定強度が強いプリサチュレーションパルスほど後になるよう印加順を決定し、同じ設定強度のプリサチュレーションパルスが複数ある場合は、それらについては、印加順が後のプリサチュレーションパルスの強度ほど弱くなるよう、実際に印加する際の印加強度を調整する。
【０１４３】
このため、本実施形態の印加条件決定部２２０も、第一の実施形態同様、印加順決定部２２１と、印加強度決定部２２２とを備える。各部の処理は、第一の実施形態と同様である。
【０１４４】
なお、受付部２１０で選択する優先項目２１２に「Ｍａｎｕａｌ」がなく、「Ａｕｔｏ」だけの場合であって、ユーザによる調整を受け付ける構成がない場合は、全てのプリサチュレーションパルスの設定強度が同じに設定であるため、印加順決定部２２１は備えなくてもよい。
【０１４５】
また、撮像部２３０の処理も、第一の実施形態と同様であり、印加条件決定部２２０が決定した印加条件に従って、受付部２１０が受け付けた印加領域にプリサチュレーションパルスを印加し、撮像を実行する。
【０１４６】
また、本実施形態の制御部１２０の各部による、プリサチュレーションパルスの印加条件設定処理と撮像処理の流れについても、第一の実施形態と同様であるため、ここでは、説明を省略する。
【０１４７】
以上説明したように、本実施形態のＭＲＩ装置１００は、第一の実施形態同様、受付部２１０と、印加条件決定部２２０と、撮像部２３０とを備える。そして、予め定めた優先項目に対応づけて、プリサチュレーションパルスの設定強度を保持する優先項目データベース２１１をさらに備え、前記受付部２１０は、前記設定条件として前記優先項目の指定を受け付け、前記印加条件決定部２２０は、受け付けた優先項目に対応づけて前記優先項目データベース２１１に保持される設定強度に基づいて各前記プリサチュレーションパルスの印加強度を決定する。
【０１４８】
このように、本実施形態によれば、予め撮像目的に応じた優先事項ごとに、必要十分なプリサチュレーションパルスの強度を保持している。そして、ユーザはその優先事項を選択するだけで、最適なプリサチュレーションパルスの印加条件を設定できる。よって、複数のプリサチュレーションパルスを印加する場合であっても、容易に、目的に応じた設定を行うことができる。
【０１４９】
また、優先事項として、例えば、「撮像時間・コントラスト」、「ＳＡＲ」、「プリサチュレーション」といった項目を保持しているため、これらの事項を適切に管理できる。
【０１５０】
すなわち、本実施形態によれば、一回の撮像シーケンス内で複数のプリサチュレーションパルスを印加する場合であっても、撮像の目的や組織、又は発生しうるアーチファクトなど優先事項に応じて各プリサチュレーションパルスに対し、必要十分な強度を、容易に設定することができる。
【０１５１】
また、本実施形態によれば、マニュアルモードを備え、第一の実施形態同様、ユーザが個々のプリサチュレーションパルスの強度を、それぞれ任意に設定できる。これにより、第一の実施形態同様、撮像時間の延長、コントラストの劣化、ＳＡＲの不要な上昇を防止することができる。従って、本実施形態によれば、検査のスループット低下を抑え、被検者に負担を与える撮像時間の延長を防ぎつつ、臨床目的に応じた撮像画像のコントラストの劣化の防止、ＳＡＲの不要な上昇を防止し被検体１０１の負担を軽減することができる。
【０１５２】
＜＜第三の実施形態＞＞
本発明の第三の実施形態を説明する。本実施形態では、プリサチュレーションパルスの設定条件が変更される毎に、予め定めた撮像情報、例えば、ＴＲやＳＡＲ情報などを算出し、ユーザに提示する。
【０１５３】
本実施形態のＭＲＩ装置は、基本的に第一の実施形態のＭＲＩ装置１００と同様の構成である。ただし、上述のように設定した条件の適否をユーザに問うため、制御部１２０の構成が異なる。以下、本実施形態について、第一の実施形態と異なる構成に主眼をおいて説明する。
【０１５４】
本実施形態の制御部１２０は、図７（ｂ）に示すように、受付部２１０、印加条件決定部２２０と、撮像部２３０と、を備える。そして、印加条件決定部２２０は、印加順決定部２２１と、印加強度決定部２２２とに加え、撮像情報算出部２２３を備える。
【０１５５】
［受付部］
受付部２１０による処理は、基本的に第一の実施形態と同様である。すなわち、設定条件受付画面４００を表示装置１２１に表示し、当該画面４００を介してユーザからのプリサチュレーションパルスの設定条件（印加領域および設定強度）を受け付ける。
【０１５６】
ただし、後述するように、本実施形態では、プリサチュレーションパルスの設定条件を変更する毎に、印加条件決定部２２０が、印加条件を算出し、予め定めた撮像情報を算出する。
【０１５７】
従って、本実施形態の設定条件受付画面４００ｂは、図１０に示すように、印加条件決定部２２０が算出した撮像情報を表示する撮像情報表示欄４４０をさらに備える。
【０１５８】
また、完了ボタン４２０の代わりに、ＯＫの意思を受け付けるＯＫボタン４２１と、Ｃａｎｃｅｌの意思を受け付けるＣａｎｃｅｌボタン４２２とを備える。
【０１５９】
ＯＫボタン４２１は、プリサチュレーションパルスの設定条件の設定が終わったことを受け付けるのではなく、撮像情報が許容可能であり、撮像を実行してもよいとの意思を受け付ける。また、Ｃａｎｃｅｌボタン４２２は、撮像情報が許容不可能である意思を受け付ける。
【０１６０】
［印加条件決定部］
印加条件決定部２２０の処理も、基本的に第一の実施形態と同様である。すなわち、受付部２１０で受け付けたプリサチュレーションパルスの設定条件に基づいて、最も効率良く抑制効果がえられるよう、印加条件を決定する。
【０１６１】
ただし、第一の実施形態では、受付部２１０が全てのプリサチュレーションパルスの設定条件を設定後、印加条件を算出している。しかしながら、本実施形態では、上述のように、受付部２１０で、プリサチュレーションパルスの設定条件が変更される毎に、その時点で、設定されている全てのプリサチュレーションパルスの設定条件に基づいて、印加条件を算出する。さらに、本実施形態は算出した印加条件に基づいて、予め定めた撮像情報を算出する。なお、プリサチュレーションパルスの設定条件の変更には、上述のように、新たにプリサチュレーションパルスの設定条件が追加されることも含む。
【０１６２】
このため、本実施形態の印加条件決定部２２０は、上述のように、印加順決定部２２１と、印加強度決定部２２２と、撮像情報算出部２２３と、を備える。
【０１６３】
印加順決定部２２１と印加強度決定部２２２との処理は、第一の実施形態と同様である。すなわち、印加順決定部２２１は、受付部２１０で変更の指示を受け付けると、それを契機に、その時点で、設定条件受付画面４００ｂ上に設定されているプリサチュレーションパルスの設定条件に基づき、印加順を決定する。また、印加強度決定部２２２は、設定条件と印加順とに応じて、各プリサチュレーションパルスの印加強度を決定する。
【０１６４】
決定した印加順、印加強度（印加条件）は、記憶装置１２３に記憶する。記憶する印加条件は、少なくとも、最新の印加条件と、１回前に算出した印加条件とする。また、このとき、その印加条件を算出する元としたプリサチュレーションパルスの印加領域の情報も併せて記憶する。
【０１６５】
撮像情報算出部２２３は、印加強度が決定すると、各プリサチュレーションパルスの印加強度に基づき、予め定めた撮像情報を算出する。本実施形態では、例えば、ＴＲ（繰返し時間）と、１０秒平均ＳＡＲの上限値に対する割合（以下、単にＳＡＲと呼ぶ）の少なくとも一方を算出する。
【０１６６】
ＴＲ［ｍｓｅｃ］とプリサチュレーションパルスとの関係は、以下の式（１２）の通りである。なお、ｎpは、プリサチュレーションパルスの個数、Ｔは、各プリサチュレーションパルスの平均印加時間［ｍｓｅｃ］、ＴＥは、エコー時間［ｍｓｅｃ］、Ｍはマルチスライス撮影のスライス数である。
ＴＲ＝（ｎp×Ｔ＋ＴＥ）×Ｍ  ・・・（１２）
【０１６７】
また、ＳＡＲは、上記式（２）、式（４）などを用いて、算出する。
【０１６８】
撮像情報算出部２２３は、算出結果を設定条件受付画面４００ｂの撮像情報表示欄４４０に表示する。そして、印加条件決定部２２０は、算出した印加条件の適否をユーザから受け付ける。適否は、ＯＫボタン４２１またはＣａｎｃｅｌボタン４２２により受け付ける。
【０１６９】
そして、印加条件決定部２２０は、ＯＫボタン４２１またはＣａｎｃｅｌボタン４２２の押下を待ち、印加条件を決定する。例えば、ＯＫボタン４２１の押下を受け付けた場合は、算出した印加条件をユーザが適と判断したものとし、算出した印加条件の中で、最新のものを、撮像に用いる印加条件と決定する。一方、Ｃａｎｃｅｌボタン４２２の押下を受け付けた場合は、算出した最新の印加条件をユーザが不適切と判断したものとし、１回目に算出した印加条件を、撮像に用いる印加条件と決定する。また、ユーザからさらにプリサチュレーションパルスの設定条件の変更を受け付けた場合は、受け付けた変更に応じて、印加条件を再算出する。
【０１７０】
なお、撮像情報算出部２２３が撮像情報として算出する情報は、上記情報に限定されない。ユーザがプリサチュレーションパルスの印加条件の適否を判断するために有益な情報であれば、どのような情報を算出してもよい。
【０１７１】
［撮像処理の流れ］
本実施形態の制御部１２０の各部による撮像処理の流れを説明する。図１１は、本実施形態の撮像処理の処理フローである。第一の実施形態同様、プリサチュレーションパルスの設定条件以外の撮像条件を受け付けた後の処理を説明する。
【０１７２】
受付部２１０は、設定条件受付画面４００ｂを表示し（ステップＳ３１０１）、ユーザからの設定条件の入力（追加、削除、変更）を待つ。
【０１７３】
受付部２１０が、ユーザから設定条件の入力を受け付ける（ステップＳ３１０２）と、印加順決定部２２１は、その時点で設定条件受付画面４００ｂに表示されている全プリサチュレーションパルスの設定条件を用いて、各プリサチュレーションパルスの印加順を決定する（ステップＳ３１０３）。そして、印加強度決定部２２２は、印加順を決定後の各プリサチュレーションパルスの設定強度と印加順とに応じて、それぞれの印加強度を決定する（ステップＳ３１０４）。なお、決定した、印加順、印加強度を含む印加条件は、記憶装置１２３に記憶される。
【０１７４】
撮像情報算出部２２３は、算出された印加強度を用い、撮像情報を算出し、設定条件受付画面４００ｂの撮像情報表示欄４４０に表示する（ステップＳ３１０５）。
【０１７５】
印加条件決定部２２０は、ユーザからＯＫの指示を受け付けた場合（ステップＳ３１０６）、最新の印加条件、その印加条件を算出した元になったプリサチュレーションパルスの印加領域、印加順および印加強度を撮像条件に反映する（ステップＳ３１０７）。
【０１７６】
そして、撮像部２３０は、撮像条件に従って、各プリサチュレーションパルスを印加し、撮像を実行する（ステップＳ３１０８）。
【０１７７】
一方、ステップＳ３１０６において、Ｃａｎｃｅｌの指示を受け付けた場合（ステップＳ３１０９）、印加条件決定部２２０は、１回前の印加条件、その印加条件を算出した元になったプリサチュレーションパルスの印加領域、印加順および印加強度を撮像条件に反映する（ステップＳ３１１０）。そして、ステップＳ３１０８へ移行する。
【０１７８】
その他の場合は、ステップＳ３１０２へ移行し、ユーザから新たな変更の指示を待つ。
【０１７９】
以上説明したように、本実施形態のＭＲＩ装置１００は、第一の実施形態同様、受付部２１０と、印加条件決定部２２０と、撮像部２３０とを備える。そして、前記印加条件決定部２２０は、前記プリサチュレーションパルスの前記設定条件が変更される毎に、変更された時点で受け付けている全てのプリサチュレーションパルスの前記設定条件に基づいて仮の印加条件を算出し、算出した当該仮の印加条件に基づいて予め定めた算出情報を算出してユーザに提示することにより前記仮の印加条件の適否を受け付け、適と受け付けた場合、当該仮の印加条件を前記決定条件とする。
【０１８０】
このとき、前記撮像情報は、ＴＲ（繰返し時間）と、１０秒平均ＳＡＲ（比吸収率）の上限値に対する割合の少なくとも一方であってもよい。
【０１８１】
このように、本実施形態によれば、第一の実施形態同様の効果が得られる。さらに、本実施形態では、ユーザがプリサチュレーションパルスを追加、削除、条件変更等を行うごとに、それに応じた撮像時の情報をユーザに提示する。このため、ユーザは、撮像目的に応じ、かつ、最も効率的な印加条件を容易に設定することができる。
【０１８２】
なお、上記実施形態では、設定条件受付画面４００ｂに撮像情報表示欄４４０を設け、当該表示欄に撮像情報算出部２２３による算出結果を表示するよう構成しているが、これに限定されない。例えば、特定の表示欄を設けず、ユーザが変更したプリサチュレーションパルスの印加領域の近傍にポップアップ表示してもよい。
【０１８３】
同様に、ＯＫボタン４２１およびＣａｎｃｅｌボタン４２２も備えなくてもよい。撮像情報のポップアップ表示の近傍に、許諾の意思およびキャンセルの意思を受け付けるポップアップ表示を行い、当該表示を介して受け付けるよう構成してもよい。
【０１８４】
なお、上記説明では、受付部２１０の構成は、第一の実施形態の構成と同様の場合を例にあげて説明を行った。しかしながら、第二の実施形態の受付部２１０と同様の構成であってもよい。
【０１８５】
＜表示の変形例＞
上記各実施形態では、設定条件受付画面４００において、ユーザが指定した設定強度、あるいは、優先項目の指定に応じて選択される強度を例えば、文字情報などで表示しているが、これに限定されない。
【０１８６】
受付部２１０は、さらに、当該受付部２１０で受け付けた設定強度に応じて、予め定めた表示態様で当該プリサチュレーションパルスを表示装置１２１に表示してもよい。
【０１８７】
例えば、印加領域３５０の表示態様を変更することにより、選択された強度を示してもよい。例えば、濃淡、網掛けの模様および/または密度、色、領域表示線の太さなどである。例えば、図１２（ａ）に示すように、設定強度が大きいほど、印加領域３５０を濃く塗りつぶす、網掛けの密度を高くする。また、図１２（ｂ）に示すように、設定強度が大きいほど、印加領域３５０の表示領域線を太くする。このように表示態様を変更し、設定強度の強弱をユーザが判別可能に表示してもよい。
【０１８８】
このように構成することにより、設定した強度をユーザは容易に把握することができる。
【０１８９】
＜変形例＞
さらに、受付部２１０は、位置決め画像上で設定条件を受け付けた際の表示装置１２１に表示された内容を画像として保存してもよい。
【０１９０】
例えば、受付部２１０は、上記各実施形態において、完了ボタン４２０、ＯＫボタン４２１、または、Ｃａｎｃｅｌボタン４２２が押下された際の、設定条件受付画面４００（４００ａ、４００ｂ）に表示されている画像情報を、保存画像として保存する。このとき、撮像を特定する情報、例えば、被検体１０１の属性情報、撮像種などに対応づけて保存してもよい。
【０１９１】
これにより、撮像結果をユーザが読影端末に表示する際、保存画像を呼び出して、同時に表示させることにより、ユーザは、プリサチュレーションパルスの印加領域を正確に把握できる。これにより、撮像結果画像の読影精度が向上する。
【符号の説明】
【０１９２】
１００：ＭＲＩ装置、１０１：被検体、１０２：静磁場発生磁石、１０３：傾斜磁場コイル、１０４：送信コイル、１０５：受信コイル、１０６：傾斜磁場電源、１０７：ＲＦ送信部、１０８：信号検出部、１０９：信号処理部、１１０：シーケンサ、１１１：ベッド、１２０：制御部、１２１：表示装置、１２２：操作部、１２３：記憶装置、２１０：受付部、２１１：優先項目データベース、２１２：優先項目、２１３：設定強度、２２０：印加条件決定部、２２１：印加順決定部、２２２：印加強度決定部、２２３：撮像情報算出部、２３０：撮像部、３００：プリサチュレーションパルス、３０１：振幅、３０２：印加時間、３１０：第一のプリサチュレーションパルス、３２０：第二のプリサチュレーションパルス、３３１：プリサチュレーションパルス、３３２：プリサチュレーションパルス、３３３：プリサチュレーションパルス、３４１：組織、３４２：組織、３４３：組織、３５０：印加領域、４００：設定条件受付画面、４００ａ：設定条件受付画面、４００ｂ：設定条件受付画面、４１０：画像表示領域、４１１：冠状断面像表示領域、４１２：横断面像表示領域、４１３：矢状断面像表示領域、４２０：完了ボタン、４２１：ＯＫボタン、４２２：Ｃａｎｃｅｌボタン、４３０：優先項目受付欄、４４０：撮像情報表示欄、４５１：心臓、４５２：下行大動脈、４５３：スライスライン、４５４：位相方向、４５５：側腹壁、４５６：椎間板、４５７：脊髄、５００：撮像シーケンス
【図１】
2016202804.tif 000012
【図２】
2016202804.tif 000013
【図３】
2016202804.tif 000014
【図４】
2016202804.tif 000015
【図５】
2016202804.tif 000016
【図６】
2016202804.tif 000017
【図７】
2016202804.tif 000018
【図８】
2016202804.tif 000019
【図９】
2016202804.tif 000020
【図１０】
2016202804.tif 000021
【図１１】
2016202804.tif 000022
【図１２】
2016202804.tif 000023